(57)【要約】【課題】簡易な操作によって、或いは何ら操作を行なうことなく各チャンネルの受信感度を知ることが出来る放送受信機能付き携帯電子機器を提供する。【解決手段】本発明に係る携帯電子機器は、複数の操作キー、前記複数の操作キーを操作キー毎に照明することが可能な照明装置２９、及び各操作キーに対する照明装置２９の照明動作を制御する制御回路２８とを具えている。該制御回路２８は、各チャンネルの放送波の受信状態を検出し、各チャンネルに割り当てられている操作キーに対して前記検出結果に応じた照明動作を実行すべき旨を前記照明装置２９に指令する。【選択図】      図２
2004266602.tif 000002
【特許請求の範囲】
【請求項１】
複数の操作キーを具えた放送受信機能付き携帯電子機器において、前記複数の操作キーを操作キー毎に照明することが可能な照明装置と、各操作キーに対する照明装置の照明動作を制御する照明制御手段とを具え、該照明制御手段は、
各チャンネルの放送波の受信状態を検出する受信状態検出手段と、
各チャンネルに割り当てられている操作キーに対して前記検出結果に応じた照明動作を実行すべき旨を照明装置に指令する指令手段
とを具えていることを特徴とする携帯電子機器。
【請求項２】
前記照明装置は、色の異なる複数種類の光を発することが可能であって、前記照明制御手段の指令手段は、照明装置に対し、前記複数種類の光の内、前記検出結果に応じた色の光を発すべき旨を指令する請求項１に記載の携帯電子機器。
【請求項３】
前記照明制御手段の指令手段は、照明装置に対し、前記検出結果に応じた点滅速度で光の点滅動作を行なうべき旨を指令する請求項１に記載の携帯電子機器。
【発明の詳細な説明】
【０００１】
【発明の属する技術分野】
本発明は、複数の操作キーを具えた放送受信機能付き携帯電話機等の携帯電子機器に関するものである。
【０００２】
【従来の技術】
近年、携帯電話機が広く普及している。又、近年の携帯電話機は、電話通信機能やメール通信機能に加え、ＣＣＤカメラによって撮影した画像をディスプレイに表示する機能やインターネット上のサイトからダウンロードした画像をディスプレイに表示する機能を有しており、ディスプレイの大型化が進んでいる。そこで、携帯電話機にテレビジョン放送番組の視聴及び録画機能を付加することが考えられる。
一方で、電波の受信感度を表示することが可能な携帯電話機や発光ダイオードによって操作キーを照明する携帯電話機が提案されている（例えば特許文献１〜３参照）。
【０００３】
【特許文献１】
特開平１１−１５０７６５号公報
【特許文献２】
特開２００２−６４５９８号公報
【特許文献３】
特開平６−３０９９９２号公報
【０００４】
【発明が解決しようとする課題】
しかしながら、携帯電話機はユーザに携帯されるため、ユーザの居場所によってはテレビジョン放送波の受信感度が低いために視聴や録画が出来ない事態が発生する。又、テレビジョン放送波の受信感度はチャンネルによって異なるため、同じ場所であっても、視聴や録画が可能なチャンネルと不可能なチャンネルとが存在する。従って、選局可能なチャンネルの中から視聴可能な何れか１つのチャンネルを選局して該チャンネルの番組を視聴せんとする際には、チャンネルの選局操作を繰り返すことにより各チャンネルの番組映像を順次表示させて各チャンネルの受信感度を調べなければならず、非常に面倒である。又、所望のチャンネルの番組を録画せんとする際にも、該チャンネルの選局操作を行なうことにより該チャンネルの番組映像を表示させて受信感度を調べなければならず、面倒である。
本発明の目的は、簡易な操作によって、或いは何ら操作を行なうことなく各チャンネルの受信感度を知ることが出来る放送受信機能付き携帯電子機器を提供することである。
【０００５】
【課題を解決する為の手段】
本発明に係る放送受信機能付き携帯電子機器は、複数の操作キーと、前記複数の操作キーを操作キー毎に照明することが可能な照明装置と、各操作キーに対する照明装置の照明動作を制御する照明制御手段とを具え、該照明制御手段は、
各チャンネルの放送波の受信状態を検出する受信状態検出手段と、
各チャンネルに割り当てられている操作キーに対して前記検出結果に応じた照明動作を実行すべき旨を照明装置に指令する指令手段
とを具えている。
【０００６】
本発明に係る放送受信機能付き携帯電子機器においては、例えばユーザにより受信感度表示操作が行なわれると、或いは定期的に、受信状態検出手段によって各チャンネルの放送波の受信状態が検出され、指令手段によって、各チャンネルに割り当てられている操作キーに対して前記検出結果に応じた照明動作を実行すべき旨が照明装置に指令される。この結果、各チャンネルに割り当てられている操作キーが、各チャンネルの放送波の受信状態に応じた状態で照明されることになる。例えば、照明装置は、色の異なる複数種類の光を発することが可能であって、各チャンネルに割り当てられている操作キーは、複数種類の色の内、各チャンネルの放送波の受信状態に応じた何れかの色の光によって照明される。或いは、各チャンネルに割り当てられている操作キーは、各チャンネルの放送波の受信状態に応じた周期で点滅する。従って、ユーザは、各操作キーの照明状態を見れば、各チャンネルの放送波の受信感度を知ることが出来る。
【０００７】
【発明の効果】
本発明に係る携帯電子機器によれば、簡易な操作によって、或いは何ら操作を行なうことなく各チャンネルの受信感度を知ることが出来る。
【０００８】
【発明の実施の形態】
以下、本発明を、近年、実施化が検討されている地上波デジタルテレビジョン放送の受信機能を具えた携帯電話機に実施した形態につき、図面に沿って具体的に説明する。尚、地上波デジタル放送システムにおいては、据え置き型のテレビジョン放送受信機向けの番組データと携帯通信端末装置向けの番組データとが多重化されて１つの放送波として放送局から送信される。
本発明に係る携帯電話機は、図１に示す如く、複数の操作キーからなるキー入力装置（４）が配設された本体（１）の左端部に、ヒンジ機構（３）を介して、ディスプレイ（５）が配備された蓋体（２）の右端部を連結して構成され、本体（１）に対して蓋体（２）を開閉することが可能である。
本体（１）の左端部には、基地局からの通信電波を受信するための電話通信用アンテナ（６）が突設されている。又、本体（１）の右端部にはマイクロフォン（７）が配備される一方、蓋体（２）の左端部にはスピーカ（８）が配備され、蓋体（２）を開いた状態で通話が可能になると共にテレビジョン放送番組の視聴が可能となる。
【０００９】
図２は、上記携帯電話機の電気的構成を表わしている。
該携帯電話機は、図示の如く、携帯電話機としての機能を発揮する電話機能部（９）と、デジタル放送受信機としての機能を発揮する放送受信機能部（１０）と、これらの機能部（９）（１０）の動作を制御するＣＰＵ（１６）とを具えており、該ＣＰＵ（１６）には、上述のキー入力装置（４）が接続されている。
電話機能部（９）においては、電話通信用アンテナ（６）によって受信された信号は、無線回路（１１）を経て信号処理回路（１２）に供給され、デジタル受話信号が復調される。デジタル受話信号は、ＡＤ／ＤＡ変換器（１３）に供給されてアナログ変換処理が施され、これによって得られたアナログ受話信号は、第１増幅器（１４）によって増幅された後、スピーカ（８）へ供給されて放音される。
又、マイクロフォン（７）に入力された送話信号は、第２増幅器（１５）によって増幅された後、ＡＤ／ＤＡ変換器（１３）に供給されてデジタル変換処理が施され、これによって得られたデジタル送話信号は、信号処理回路（１２）に供給され、変調を受ける。変調を受けた送話信号は、無線回路（１１）を経て電話通信用アンテナ（６）から送信される。
【００１０】
一方、放送受信機能部（１０）においては、放送受信用アンテナ（１７）によって受信されたテレビジョン放送波はチューナ（１８）によってチューニングされ、これによって得られた放送信号は、一旦バッファメモリ（１９）に格納された後、デマルチプレクサ回路（２０）に供給される。デマルチプレクサ回路（２０）では、入力された放送信号から携帯通信端末装置向けの番組データが抽出され、該番組データはＡＶセレクタ（２１）に供給されて、映像データと音声データとが分離される。映像データはビデオデコーダ（２２）に供給されてＭＰＥＧデコードされた後、アナログ映像信号に変換されて上述のディスプレイ（５）に供給される。この結果、番組映像がディスプレイ（５）に映し出されることになる。又、キャラクタジェネレータ（２５）によって作成されたキャラクタ信号がディスプレイ（５）に供給されて、種々の情報がディスプレイ（５）に表示される。
上述のＡＶセレクタ（２１）にて分離された音声データはオーディオデコーダ（２３）に供給されてＭＰＥＧデコードされた後、アナログ音声信号に変換されてスピーカ（２４）に供給される。この結果、番組音声がスピーカ（２４）から出力されることになる。
【００１１】
又、上記携帯電話機は、テレビジョン放送番組の録画機能、及び録画番組の再生機能を有しており、上述のデマルチプレクサ回路（２０）によって抽出された番組データは、メモリコントローラ（２６）に供給され、該コントローラ（２６）によってメモリカード（２７）に書き込まれる。又、メモリカード（２７）に書き込まれている番組データは、メモリカードコントローラ（２６）により読み出されて上述のＡＶセレクタ（２１）に供給され、ＡＶセレクタ（２１）にて映像データと音声データとが分離される。これらの映像データ及び音声データはそれぞれ、上述のビデオデコーダ（２２）及びオーディオデコーダ（２３）に供給され、ＭＰＥＧデコード処理及びアナログ変換処理が施されて上述のディスプレイ（５）及びスピーカ（２４）に供給される。この結果、メモリカード（２７）に録画されているテレビジョン放送番組の映像がディスプレイ（５）に映し出されると共に、該テレビジョン放送番組の音声がスピーカ（２４）から出力されることになる。
【００１２】
更に、本発明に係る携帯電話機は、上述のキー入力装置（４）を照明する照明装置（２９）を具えており、該照明装置（２９）に各チャンネルの放送波の受信感度に応じた照明動作を実行させることによって各チャンネルの受信感度を報知することが可能である。放送受信機能部（１０）は、照明装置（２９）の動作を制御する感度表示制御回路（２８）を具えている。
【００１３】
図３は、感度表示制御回路（２８）及び照明装置（２９）の具体的構成を表わしている。
照明装置（２９）は、キー入力装置（４）を構成するテンキー“０”〜“９”及び記号キー“＊”、“＃”の各操作キーを照明する１２個のキー照明部（２９０）を具えており、各キー照明部（２９０）は、１つの赤色ＬＥＤ（発光ダイオード）（２９０ａ）と１つの黄色ＬＥＤ（２９０ｂ）と１つの緑色ＬＥＤ（２９０ｃ）とから構成されている。
一方、感度表示制御回路（２８）は、チューナから入力された放送信号の受信レベルを検出する受信レベル検出回路（２８ａ）と、該回路（２８ａ）の検出結果に基づいて照明装置（２９）を構成する複数のＬＥＤの点灯／消灯を制御する照明制御回路（２８ｂ）とから構成されている。
【００１４】
本発明に係る携帯電話機は、第１〜第１２チャンネルの選局が可能であって、第１〜第９チャンネルにそれぞれ図１に示すテンキー“１”〜“９”、第１０〜第１２チャンネルにそれぞれテンキー“０”、記号キー“＊”、“＃”が割り当てられている。
ユーザがキー入力装置（４）を用いて受信感度表示操作を行なうと、図２に示す前記ＣＰＵ（１６）は、第１チャンネルを選局すべき旨の選局指令信号を前記チューナ（１８）に供給すると共に、第１チャンネルを表わすチャンネル特定信号を感度表示制御回路（２８）に供給する。チューナ（１８）は、ＣＰＵ（１６）から入力された前記選局指令信号に基づいてチューニング動作を実行し、これによって得られた第１チャンネルの放送信号を図３に示す感度表示制御回路（２８）の受信レベル検出回路（２８ａ）に供給する。受信レベル検出回路（２８ａ）は該放送信号の受信レベルを検出し、その検出結果を照明制御回路（２８ｂ）に供給する。照明制御回路（２８ｂ）は、照明装置（２９）を構成する１２個のキー照明部の中から前記チャンネル特定信号が表わすチャンネル、即ち第１チャンネルに割り当てられている操作キーのキー照明部（２９０）を特定した後、特定したキー照明部（２９０）を構成する３つのＬＥＤの中から、前記検出結果に応じた１つのＬＥＤを選択し、選択した１つのＬＥＤを点灯する。例えば、受信感度が受信電波の途切れることのない高レベルである場合には緑色ＬＥＤ、受信電波が多少途切れる中レベルである場合には黄色ＬＥＤ、受信電波が頻繁に途切れる低レベルである場合には赤色ＬＥＤが点灯される。この様にして、第１チャンネルに割り当てられているテンキー“１”が赤色、黄色或いは緑色の何れかの色の光によって照明されることになる。
以下、同様にして、第２〜第１２チャンネルにそれぞれ割り当てられている操作キーが順次、受信感度に応じて赤色、黄色或いは緑色の何れかの色の光によって照明される。
【００１５】
図４乃至図６は、上記携帯電話機において実行される受信感度表示手続きを表わしている。
先ずステップＳ１にて、テレビジョン放送番組の視聴及び録画が可能なテレビジョンモードが設定されているか否かを判断し、ノーと判断された場合には手続きを終了する一方、イエスと判断された場合にはステップＳ２に移行して、受信感度表示操作が行なわれたか否かを判断し、ノーと判断された場合には、ステップＳ３に移行する。
ステップＳ３では、選局操作が行なわれたか否かを判断し、ノーと判断された場合にはステップＳ１に戻る一方、イエスと判断された場合には、ステップＳ４に移行して、ユーザにより選択されたチャンネルの周波数を選択した後、ステップＳ５にてチューニングを行なう。
【００１６】
続いてステップＳ６では、放送信号の有無を判断し、放送信号が存在しない場合には、ステップＳ１０にて“信号が受信できません”とのメッセージをディスプレイ（５）に表示した後、ステップＳ１１では、キー入力装置（４）を構成する複数の操作キーの内、選局中のチャンネルに割り当てられている操作キーを照明するための緑色ＬＥＤ、黄色ＬＥＤ及び赤色ＬＥＤの全てのＬＥＤを消灯して、手続きを終了する。
一方、放送信号が存在する場合には、ステップＳ７に移行して放送が休止中であるか否かを判断し、イエスと判断された場合には、ステップＳ９にて“放送休止中です”とのメッセージをディスプレイ（５）に表示した後、ステップＳ１１では、キー入力装置（４）を構成する複数の操作キーの内、選局中のチャンネルに割り当てられている操作キーを照明するための緑色ＬＥＤ、黄色ＬＥＤ及び赤色ＬＥＤの全てのＬＥＤを消灯して、手続きを終了する。ステップＳ７にてノーと判断された場合には、ステップＳ８に移行して受信レベルを取得した後、図６に示す後述の受信感度表示処理を実行する。
【００１７】
ユーザにより受信感度表示操作が行なわれてステップＳ２にてイエスと判断された場合には、図５のステップＳ１２に移行して、全てのチャンネルについて受信感度表示処理を終了したか否かを判断し、ノーと判断された場合にはステップＳ１３にて、１つのチャンネルの周波数を選択した後、ステップＳ１４にてチューニングを行なう。
続いてステップＳ１５では、放送信号の有無を判断し、放送信号が存在しない場合にはステップＳ１２に戻る一方、放送信号が存在する場合にはステップＳ１６に移行して放送が休止中であるか否かを判断し、ノーと判断された場合にはステップＳ１２に戻る。ステップＳ１６にてノーと判断された場合には、ステップＳ１７に移行して受信レベルを取得した後、図６に示す後述の受信感度表示処理を実行する。
【００１８】
図６のステップＳ１８では、図４のステップＳ８或いは図５のステップＳ１７にて取得された受信レベルが第２スレッショルドレベル値ＴＨ２を超えているか否かを判断し、イエスと判断された場合には、ステップＳ１９にて、キー入力装置（４）を構成する複数の操作キーの内、選局中のチャンネルに割り当てられている操作キーを照明するための緑色ＬＥＤを点灯した後、ステップＳ２３に移行する。
上記ステップＳ１８にてノーと判断された場合には、ステップＳ２０に移行して、前記取得された受信レベルが前記第２スレッショルド値ＴＨ２よりも小さな第１スレッショルドレベル値ＴＨ１を超えているか否かを判断し、イエスと判断された場合には、ステップＳ２１にて、キー入力装置（４）を構成する複数の操作キーの内、選局中のチャンネルに割り当てられている操作キーを照明するための黄色ＬＥＤを点灯した後、ステップＳ２３に移行する。
上記ステップＳ２０にてノーと判断された場合には、ステップＳ２２に移行して、キー入力装置（４）を構成する複数の操作キーの内、選局中のチャンネルに割り当てられている操作キーを照明するための赤色ＬＥＤを点灯した後、ステップＳ２３に移行する。
【００１９】
ステップＳ２３では、ユーザによる受信感度表示操作に応じて上記手続きを実行したのか否かを判断し、ノーと判断された場合には、ステップＳ２４にてユーザにより選局されたチャネルの番組映像をディスプレイ（５）に表示して、図４のステップＳ１に戻る。
これに対し、ステップＳ２３にてイエスと判断された場合には、ステップＳ２５にて視聴可能テーブルに選局中のチャンネルを追加登録して、図５のステップＳ１２に戻り、次のチャンネルについて上述の受信感度表示処理を実行する。その後、全てのチャンネルについての受信感度表示処理が終了すると、ステップＳ１２にてイエスと判断されて図４のステップＳ１に戻る。
【００２０】
上記手続きによれば、ユーザによって受信感度表示操作が行なわれたとき、選局可能なチャンネルの内、番組放送中の全てのチャンネルにそれぞれ割り当てられている操作キーが順次、受信感度に応じて緑色、黄色或いは赤色の何れかの色の光によって照明されることになる。又、番組放送中のチャンネルの識別情報からなる視聴可能テーブルが作成される。尚、該テーブルは、例えばユーザによるチャンネルアップ操作或いはチャンネルダウン操作に応じて受信チャンネルを切り換える際に参照される。
又、ユーザによって選局操作が行なわれたとき、選局されたチャンネルに割り当てられている操作キーが受信感度に応じて緑色、黄色或いは赤色の何れかの色の光によって照明された後、番組映像がディスプレイ（５）に表示されることになる。
【００２１】
本発明に係る携帯電話機においては、ユーザは、簡易なキー操作である受信感度表示操作を行なうことによって、番組放送中の全てのチャンネルの受信感度を知ることが出来る。又、放送信号が受信できないチャンネルや番組が放送されていないチャンネルについては、その旨のメッセージがディスプレイ（５）に表示されるので、その事態の発生を知ることが出来る。
【００２２】
尚、本発明の各部構成は上記実施の形態に限らず、特許請求の範囲に記載の技術的範囲内で種々の変形が可能である。
例えば、照明装置（２９）の各キー照明部（２９０）は、図３に示す如く赤色ＬＥＤ（２９０ａ）、黄色ＬＥＤ（２９０ｂ）及び緑色ＬＥＤ（２９０ｃ）の３つのＬＥＤによって構成されているが、発光色を変更することが可能な１つの多色発光ＬＥＤによって構成することも可能である。
又、受信感度の表示は、操作キーを照明する光の色を変える方式に限らず、操作キーを照明する光の点滅速度を変える方式によって実現することも可能である。
又、上記実施の形態においては、ユーザにより受信感度表示操作が行なわれたときに、番組放送中の全てのチャンネルの受信感度を表示する構成を採用しているが、定期的に、例えば１時間毎に自動的に全てのチャンネルの受信感度を表示する構成を採用することも可能である。更に、チャンネル選局操作が行なわれたときに、選局されたチャンネルだけでなく番組放送中の全てのチャンネルの受信感度を表示する構成を採用することも可能である。
【図面の簡単な説明】
【図１】本発明を実施した携帯電話機の外観を表わす斜視図である。
【図２】上記携帯電話機の電気的構成を表わすブロック図である。
【図３】上記携帯電話機の感度表示制御回路及び照明装置の具体的構成を表わすブロック図である。
【図４】上記携帯電話機において実行される受信感度表示手続きの第１部を表わすフローチャートである。
【図５】上記手続きの第２部を表わすフローチャートである。
【図６】上記手続きの第３部を表わすブローチャートである。
【符号の説明】
（４）  キー入力装置
（５）  ディスプレイ
（６）  電話通信用アンテナ
（１６）  ＣＰＵ
（１７）  放送受信用アンテナ
（１８）  チューナ
（２４）  スピーカ
（２７）  メモリカード
（２８）  感度表示制御回路
（２９）  照明装置
【図１】
2004266602.tif 000003
【図２】
2004266602.tif 000004
【図３】
2004266602.tif 000005
【図４】
2004266602.tif 000006
【図５】
2004266602.tif 000007
【図６】
2004266602.tif 000008